(57)【要約】【課題】複数の画像データに対して迅速に画像調整処理を実行することができ、画像調整に係る作業負荷を軽減することができる技術を実現する。【解決手段】画像処理装置は、画像データに対して画像調整処理を実行する処理手段と、画像調整処理用のパラメータを設定する設定手段と、第１の画像データに所定の画像調整処理を実行したときに適用された所定のパラメータの変更前の値に基づいて、複数の画像データから前記所定の画像調整処理の対象となる第２の画像データを検索する検索手段と、前記検索手段により検索された第２の画像データに対して、前記所定のパラメータを適用して前記所定の画像調整処理を実行するように前記処理手段を制御する制御手段と、を有する。【選択図】図３
2019153916.tif 000002
【特許請求の範囲】
【請求項１】
画像データに対して画像調整処理を実行する処理手段と、
画像調整処理用のパラメータを設定する設定手段と、
第１の画像データに所定の画像調整処理を実行したときに適用された所定のパラメータの変更前の値に基づいて、複数の画像データから前記所定の画像調整処理の対象となる第２の画像データを検索する検索手段と、
前記検索手段により検索された第２の画像データに対して、前記所定のパラメータを適用して前記所定の画像調整処理を実行するように前記処理手段を制御する制御手段と、を有することを特徴とする画像処理装置。
【請求項２】
複数の画像データから前記第１の画像データを選択するユーザ操作を受け付ける操作手段と、
前記第１の画像データに対して前記所定の画像調整処理を実行する前に、前記第１の画像データから前記所定のパラメータの変更前の値を取得する取得手段と、を更に有し、
前記検索手段は、前記第１の画像データに前記所定の画像調整処理を実行した後に前記所定のパラメータの変更前の値に基づいて、前記複数の画像データから前記所定の画像調整処理の対象となる前記第２の画像データを検索することを特徴とする請求項１に記載の画像処理装置。
【請求項３】
前記複数の画像データは、連写撮影された複数の画像データまたは所定の期間内に連続して撮影された複数の画像データであり、
前記処理手段は、前記検索手段により検索された複数の前記第２の画像データに対して前記所定の画像調整処理を実行することを特徴とする請求項１または２に記載の画像処理装置。
【請求項４】
前記第２の画像データに対して前記画像調整処理を実行するか否かを選択する手段を更に有することを特徴とする請求項１から３のいずれか１項に記載の画像処理装置。
【請求項５】
前記検索手段により検索された前記第２の画像データを提示する手段を含むことを特徴とする請求項４に記載の画像処理装置。
【請求項６】
前記第２の画像データに対して前記画像調整処理を実行した後の画像を提示する手段を更に有することを特徴とする請求項４または５に記載の画像処理装置。
【請求項７】
前記画像データは撮像手段による撮像処理により取得され、
前記第１の画像データに所定の画像調整処理を実行したときに適用された所定のパラメータの変更前の値は、前記撮像手段による画像取得時のパラメータであることを特徴とする請求項１から６のいずれか１項に記載の画像処理装置。
【請求項８】
画像データに対して画像調整処理を実行する画像処理装置の制御方法であって、
画像調整処理用のパラメータを設定するステップと、
第１の画像データに所定の画像調整処理を実行したときに適用された所定のパラメータの変更前の値に基づいて、複数の画像データから前記所定の画像調整処理の対象となる第２の画像データを検索するステップと、
検索された前記第２の画像データに対して、前記所定のパラメータを適用して前記所定の画像調整処理を実行するように制御するステップと、を有することを特徴とする制御方法。
【請求項９】
コンピュータを、請求項１から７のいずれか１項に記載された画像処理装置として機能させるためのプログラム。
【発明の詳細な説明】
【技術分野】
【０００１】
本発明は、複数の画像データに画像調整処理を施す技術に関する。
【背景技術】
【０００２】
画像の利用形態として、例えば、ある被写体を連続撮影（連写）して複数の画像を撮影、その中から特定の画像を選択し、ネットワーク上のサービスサイトへアップロードして共有や印刷などに活用することが一般的に行われている。また、連続撮影により得られた複数の画像に対して撮影後に画質の調整などを行うことも行われている。しかしながら、連続撮影により得られた多数の画像データに対して、撮影後に１枚ずつ画像調整を行うことは膨大な手間と時間がかかる。
【０００３】
特許文献１には、複数の画像データが関連する画像データであることを示すグループ化情報を事前に設定し、同じグループに属する画像データに画像処理を施す際に、同じグループに属する他の画像データに対して同様の処理を施す技術が記載されている。
【先行技術文献】
【特許文献】
【０００４】
【特許文献１】特開２００１−２８０４７号公報
【発明の概要】
【発明が解決しようとする課題】
【０００５】
特許文献１では、複数の画像データに対して事前にグループ化情報を設定し、また、画像調整用のパラメータに合わせて画像データごとにグループ情報を設定する必要がある。また、グループ化情報やグループ情報の設定漏れがあると、画像調整が行われない画像データが発生する可能性もある。
【０００６】
本発明は、上記課題に鑑みてなされ、その目的は、複数の画像データに対して迅速に画像調整処理を実行することができ、画像調整に係る作業負荷を軽減することができる技術を実現することである。
【課題を解決するための手段】
【０００７】
上記課題を解決し、目的を達成するために、本発明の画像処理装置は、画像データに対して画像調整処理を実行する処理手段と、画像調整処理用のパラメータを設定する設定手段と、第１の画像データに所定の画像調整処理を実行したときに適用された所定のパラメータの変更前の値に基づいて、複数の画像データから前記所定の画像調整処理の対象となる第２の画像データを検索する検索手段と、前記検索手段により検索された第２の画像データに対して、前記所定のパラメータを適用して前記所定の画像調整処理を実行するように前記処理手段を制御する制御手段と、を有する。
【発明の効果】
【０００８】
本発明によれば、複数の画像データに対して迅速に画像調整処理を実行することができ、画像調整に係る作業負荷を軽減することができる。
【図面の簡単な説明】
【０００９】
【図１】本実施形態の装置構成を示すブロック図。
【図２】本実施形態の画像調整処理を説明する図。
【図３】本実施形態の画像調整処理の動作手順を示すフローチャート。
【発明を実施するための形態】
【００１０】
［実施形態１］
以下では、本実施形態の画像処理装置をデジタルカメラに適用した例を説明するが、これらには限定されない。例えば、画像処理装置として、カメラ機能を有する携帯電話やその一種であるスマートフォン、タブレット端末、ＰＣなどを用いてもよい。
【００１１】
＜装置構成＞まず、図１を参照して、本実施形態のデジタルカメラ１００の場合の構成および機能について説明する。
【００１２】
図１に示すように、撮影レンズ１０１はズームレンズ、フォーカスレンズを含むレンズ群である。シャッター１０２は絞り機能を備える。撮像部１０３は被写体の光学像を電気信号に変換するＣＣＤやＣＭＯＳ等で構成される撮像素子である。Ａ／Ｄ変換器１０４は、アナログ信号をデジタル信号に変換する。Ａ／Ｄ変換器１０４は、撮像部１０３から出力されるアナログ信号をデジタル信号に変換するために用いられる。バリア１０５は、デジタルカメラ１００の、撮影レンズ１０１を含む撮像系を覆うことにより、撮影レンズ１０１、シャッター１０２、撮像部１０３を含む撮像系の汚れや破損を防止する。
【００１３】
画像処理部１０６は、Ａ／Ｄ変換器１０４からのデータ、又は、メモリ制御部１０７からのデータに対し所定の画素補間、縮小といったリサイズ処理や色変換処理を行う。また、画像処理部１０６では、撮像した画像データを用いて所定の演算処理が行われ、得られた演算結果に基づいてシステム制御部１０８が露光制御、測距制御を行う。
【００１４】
Ａ／Ｄ変換器１０４からの出力データは、画像処理部１０６及びメモリ制御部１０７を介して、或いは、メモリ制御部１０７を介してメモリ１０９に直接書き込まれる。メモリ１０９は、撮像部１０３によって得られ、Ａ／Ｄ変換器１０４によりデジタルデータに変換された画像データや、表示部１１０に表示するための画像データを格納する。メモリ１０９は、所定枚数の静止画や所定時間の動画および音声を格納するのに十分な記憶容量を備えている。
【００１５】
また、メモリ１０９は画像表示用のメモリ（ビデオメモリ）を兼ねている。Ｄ／Ａ変換器１１１は、メモリ１０９に格納されている画像表示用のデータをアナログ信号に変換して表示部１１０に供給する。こうして、メモリ１０９に書き込まれた表示用の画像データはＤ／Ａ変換器１１１を介して表示部１１０により表示される。表示部１１０は、ＬＣＤ等の表示器上に、Ｄ／Ａ変換器１１１からのアナログ信号に応じた表示を行う。Ａ／Ｄ変換器１０４によって一旦Ａ／Ｄ変換され、メモリ１０９に蓄積されたデジタル信号をＤ／Ａ変換器１１１においてアナログ変換し、表示部１１０に逐次転送して表示することで、電子ビューファインダとして機能し、スルー画像表示を行える。
【００１６】
不揮発性メモリ１１２は、電気的に消去・記録可能なメモリであり、例えばＥＥＰＲＯＭ等が用いられる。不揮発性メモリ１１２には、システム制御部１０８の動作用の定数、プログラム等が記憶される。ここでいう、プログラムとは、本実施形態にて後述するフローチャートの動作処理を実行するためのプログラムのことである。
【００１７】
システム制御部１０８は、デジタルカメラ１００の全体を制御する。前述した不揮発性メモリ１１２に記録されたプログラムを実行することで、後述する本実施形態の各処理を実現する。１１３はシステムメモリであり、ＲＡＭが用いられる。システムメモリ１１３には、システム制御部１０８の動作用の定数、変数、不揮発性メモリ１１２から読み込んだプログラム等を展開する。また、システム制御部１０８はメモリ１０９、Ｄ／Ａ変換器１１１、表示部１１０等を制御することにより表示制御も行う。
【００１８】
モード切替スイッチ１１４、シャッターボタン１１５、第１シャッタースイッチ１１５ａ、第２シャッタースイッチ１１５ｂ、および操作部１１７は、ユーザ操作に応じてシステム制御部１０８に各種の動作指示を入力するための操作手段である。
【００１９】
モード切替スイッチ１１４は、システム制御部１０８の動作モードを静止画撮影モード、動画記録モード、再生モード、画像調整モード等のいずれかに切り替える。画像調整モードは、撮影時（画像取得時）の画像データのパラメータを、ユーザにより設定されたパラメータに変更することで、撮影時の画像データを変更後のパラメータを適用した画像データに変換する処理または撮影時の画像データから変更後のパラメータを適用した別の画像データを生成する処理である。
【００２０】
第１シャッタースイッチ１１５ａは、シャッターボタン１１５の操作途中、いわゆる半押し（撮影準備指示）でオンとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００２１】
第２シャッタースイッチ１１５ｂは、シャッターボタン１１５の操作完了、いわゆる全押し（撮影指示）でオンとなり、第２シャッタースイッチ信号ＳＷ２を発生する。システム制御部１０８は、第２シャッタースイッチ信号ＳＷ２により、撮像部１０３からの信号読み出しから記録媒体１２５に画像データを書き込むまでの一連の撮影処理の動作を開始する。
【００２２】
操作部１１７の各操作部材は、表示部１１０に表示される種々の機能アイコンを選択操作することなどにより、シーンごとに適宜機能が割り当てられ、各種機能ボタンとして作用する。機能ボタンとしては、例えば実行ボタン、終了ボタン、戻るボタン、画像送りボタン、ジャンプボタン、絞込みボタン、属性変更ボタン等がある。例えば、メニューボタンが押されると各種の設定可能なメニュー画面が表示部１１０に表示される。ユーザは、表示部１１０に表示されたメニュー画面と、上下左右の４方向ボタンやＳＥＴボタンとを用いて直感的に各種設定を行うことができる。
【００２３】
なお、操作部１１７の１つとして、表示部１１０に対する接触を検知可能なタッチパネルを有する。
【００２４】
また、操作部１１７は、回転操作可能な操作部材であるコントローラホイール１１８およびコントローラリング１１９を含む。
【００２５】
コントローラホイール１１８は、方向ボタンと共に選択項目を指示するときなどに用いられる。コントローラホイール１１８を回転操作すると、操作量に応じて電気的なパルス信号が発生し、このパルス信号に基づいてシステム制御部１０８はデジタルカメラ１００の各部を制御する。このパルス信号によって、コントローラホイール１１８が回転操作された角度や、何回転したかなどを判定することができる。なお、コントローラホイール１１８は回転操作が検出できる操作部材であればどのようなものでも良い。例えば、ユーザの回転操作に応じてコントローラホイール１１８自体が回転してパルス信号を発生するダイヤル操作部材であっても良い。また、タッチセンサよりなる操作部材で、コントローラホイール１１８自体は回転せず、コントローラホイール１１８上でのユーザの指の回転動作などを検出するものであっても良い（いわゆる、タッチホイール）。
【００２６】
コントローラリング１１９は、レンズ鏡筒まわりの光軸を中心とした回転操作が可能な操作部材である。コントローラリング１１９を操作すると、回転量（操作量）に応じた電気的なパルス信号が発生し、このパルス信号に基づいてシステム制御部１０８はデジタルカメラ１００の各部を制御する。また、コントローラリング１１９の機能切替ボタンが押されると、コントローラリング１１９に割り当てる機能を変更可能なメニュー画面が表示部１１０に表示される。コントローラリング１１９およびコントローラホイール１１８は通常モード項目の選択や値の変更に用いられる。
【００２７】
電源スイッチ１２０は、デジタルカメラ１００の電源オン、電源オフを切り替える。
【００２８】
電源制御部１２１は、電池検出回路、ＤＣ−ＤＣコンバータ、通電するブロックを切り替えるスイッチ回路等により構成され、電池の装着の有無、電池の種類、電池残量の検出を行う。また、電源制御部１２１は、その検出結果及びシステム制御部１０８の指示に基づいてＤＣ−ＤＣコンバータを制御し、必要な電圧を必要な期間、記録媒体１２５を含む各部へ供給する。
【００２９】
電源部１２２は、アルカリ電池やリチウム電池等の一次電池やＮｉＣｄ電池やＮｉＭＨ電池、リチウムイオン電池等の二次電池、ＡＣアダプタ等からなる。
【００３０】
記録媒体インターフェース（Ｉ／Ｆ）１２４は、システム制御部１０８がメモリカードやハードディスクなどの記録媒体１２５にアクセスするためのインターフェースである。記録媒体１２５は、撮影された画像を記録するためのメモリカード等の記録媒体であり、半導体メモリや磁気ディスク等から構成される。
【００３１】
通信部１２３は、無線アンテナや有線ケーブルによって通信可能に接続された外部機器と映像や音声の送受信を行う。
【００３２】
ネットワークインタフェース（Ｉ／Ｆ）１２６は、無線ＬＡＮやインターネット等のネットワークに接続可能であり、システム制御部１０８が外部機器と通信するためのインターフェースである。システム制御部１０８は、ネットワークＩ／Ｆ１２６を介して、撮像部１０３で撮像処理された画像（スルー画像を含む）や記録媒体１２５に記録された画像ファイルを外部機器に送信し、また、外部機器から画像データやその他の各種情報を受信できる。
【００３３】
＜画像調整処理＞次に、本実施形態の画像調整処理について説明する。
【００３４】
図２（ａ）は、本実施形態のデジタルカメラ１００により連続して撮影された画像データを示している。図２（ａ）において、画像データ２０１〜２０６は、連写モードで撮影された画像群、所定の期間内に連続して撮影された画像群、または所定の期間内に同一被写体が連続して撮影された画像群である。
【００３５】
図２（ｂ）は、図２（ａ）に示す画像群から選択された画像データ２０３に対して、第１の画像調整処理を施した画像データを示している。
【００３６】
図２（ｂ）において、図２（ａ）に示す複数の画像データ２０１〜２０７から、ユーザが処理対象の画像データとして画像データ２０３を選択した場合に、画像データ２０３に対して第１の画像調整処理用のパラメータを適用することで画像データ２０８が生成される。ここで、第１の画像調整処理は、例えば、明るさを調整する処理であり、画像調整用のパラメータとして画像データ２０３のＥＶ（ｅｘｐｏｓｕｒｅ  ｖａｌｕｅ）値を＋１に変更したものとする。なお、図２（ｂ）では、説明の便宜上、実際の調整とは異なり濃淡で表現している。
【００３７】
図２（ｃ）は、本実施形態のデジタルカメラ１００により同じ画像調整処理を施す画像データを自動で検索し、同じ画像調整用のパラメータを適用した画像調整処理を実行して生成された調整後の画像データを含む、図２（ａ）に示す画像群を示している。
【００３８】
本実施形態のデジタルカメラ１００は、図２（ｂ）に示す画像データ２０８の画像調整処理後、図２（ａ）に示す画像群から、図２（ｂ）に示す画像データ２０８と同じ画像調整用パラメータを適用する処理対象の画像データを自動で検索する。そして、画像処理部１０６を制御して、検索された画像データに対して、同じ画像調整用パラメータを適用した画像調整処理を実行する。
【００３９】
例えば、図２（ａ）に示す画像データ２０１〜２０７の中から画像データ２０１〜２０６が連続した撮影された画像であると判定する。また、図２（ｂ）のように画像データ２０３に対してＥＶ値を変更して画像調整処理を行った場合に、画像データ２０３の変更前のＥＶ値と同じ条の画像データ２０１、２０２を抽出する。そして、それぞれの画像データ２０１、２０２に変更後のＥＶ値を適用した画像調整処理を実行し、画像データ２０９、２１０を生成する。
【００４０】
図２（ｄ）は、図２（ｃ）示す画像群から選択された画像調整処理済みの画像データ２１０に対して、図２（ｂ）とは異なる第２の画像調整処理を施した画像データを示している。
【００４１】
図２（ｄ）において、図２（ｃ）に示す複数の画像データ２０４〜２１０から、ユーザが処理対象の画像データとして画像データ２１０を選択した場合に、画像データ２１０に対して第２の画像調整用のパラメータを適用することで画像データ２１１が生成される。ここで、第２の画像調整処理は、例えば、色温度を調整する処理である。なお、図２（ｄ）では、説明の便宜上、実際の調整とは異なり濃淡で表現している。
【００４２】
図２（ｅ）は、本実施形態のデジタルカメラ１００により同じ画像調整処理を施す画像データを自動で検索し、同じ画像調整用のパラメータを適用した画像調整処理を実行して生成された調整後の画像データを含む、図２（ｃ）に示す画像群を示している。
【００４３】
本実施形態のデジタルカメラ１００は、図２（ｄ）に示す画像データ２１１の画像調整処理後、図２（ｃ）に示す画像群から、図２（ｄ）に示す画像データ２１１の画像調整処理と同じ画像調整用パラメータを適用する処理対象の画像データを自動で検索する。そして、画像処理部１０６を制御して、検索された画像データに対して、同じ画像調整用パラメータを適用した画像調整処理を実行する。
【００４４】
例えば、図２（ａ）に示す画像データ２０１〜２０７の中から画像データ２０１〜２０６が連続した撮影された画像であると判定する。また、図２（ｄ）のように画像データ２１０に対して色温度を変更して画像調整処理を行った場合に、画像データ２１０の変更前の色温度と同じ条件の画像データ２０９、２０８、２０４、２０５を抽出する。そして、それぞれの画像データ２０９、２０８、２０４、２０５に変更後の色温度を適用した画像調整処理を実行し、画像データ２１２、２１３、２１４、２１５を生成する。
【００４５】
＜処理動作＞次に、図３を参照して、本実施形態の画像調整処理の動作手順について説明する。
【００４６】
なお、図３の処理は、不揮発性メモリ１１２に格納されたプログラムをシステムメモリ１１３に読み出してシステム制御部１０８が実行することにより実現する。また、図３の処理は、ユーザがモード切替スイッチ１１４を操作して、デジタルカメラ１００の動作モードを画像調整モードに設定し、表示部１１０に表示された画像一覧画面などから処理対象の画像が選択可能な状態から開始される。
【００４７】
Ｓ３０１では、システム制御部１０８は、操作部１１７を介して、画像調整処理を行う画像データを選択する指示を受け付ける。
【００４８】
Ｓ３０２では、システム制御部１０８は、操作部１１７を介して、Ｓ３０１で選択された画像データに対する画像調整処理を開始する指示を受け付ける。ここで、ユーザは、表示部１１０に表示された画像調整処理用の設定画面などから画像調整処理の種別やパラメータを設定する。
【００４９】
Ｓ３０３では、システム制御部１０８は、Ｓ３０２で設定された画像調整用のパラメータの変更前の値として、Ｓ３０１で選択された画像データに付加されたメタデータから、撮影時（変更前）のＥＶ値や色温度などのパラメータを取得する。
【００５０】
Ｓ３０４では、システム制御部１０８は、画像処理部１０６を制御して、Ｓ３０１で選択された画像データに対して、Ｓ３０２で設定された画像調整用のパラメータを適用した画像調整処理を実行する。なお、画像調整処理は、Ｓ３０１で選択された画像データに直接に実行してもよいし、別ファイルとして複製した画像データに実行してもよい。
【００５１】
Ｓ３０５では、システム制御部１０８は、Ｓ３０１で選択された画像データを含む画像群を取得する。ここで、画像群は、連写撮影された複数の画像データ、所定の期間内に連続して撮影された複数の画像データ、または所定の期間内に同一被写体が連続して撮影された複数の画像データである。
【００５２】
Ｓ３０６では、システム制御部１０８は、Ｓ３０５で取得した画像群からＳ３０３で取得した画像調整用のパラメータの変更前の値に基づいて同様の条件を持つ画像データを検索する。システム制御部１０８は、各画像データのメタデータから、撮影時（変更前）のＥＶ値や色温度などのパラメータが、画像調整用のパラメータの変更前の値と同一の値または所定の幅を設けた範囲内にあるものを同様の条件を持つ画像データとして検索する。なお、画像調整用のパラメータは１つであっても、複数であってもよい。
【００５３】
Ｓ３０７では、システム制御部１０８は、Ｓ３０６での検索結果に基づき、同様の条件を持つ画像データがあるか判定し、画像データがあると判定した場合はＳ３０８へ進み、画像データがないと判定した場合はＳ３１０へ進む。
【００５４】
Ｓ３０８では、システム制御部１０８は、同様の条件を持つ画像データに対して画像調整処理を実行するか否かを判定し、画像調整処理を実行すると判定した場合はＳ３０９へ進み、画像調整処理を実行しないと判定した場合はＳ３１０へ進む。ここで、システム制御部１０８は、同様の条件を持つ画像データに対して画像調整処理を実行するか否かをユーザに提示して確認するためのダイアログなどを表示部１１０に表示する。この際、表示部１１０に、処理対象の画像データを一覧表示したり、処理対象の画像データに画像調整処理を実行した後の画像を一覧表示してもよい。ユーザは、表示部１１０に表示された画像一覧を見ながら画像調整処理を続行するか否か、あるいはパラメータを変更する必要があるかなどを決めることができる。
【００５５】
Ｓ３０９では、システム制御部１０８は、画像処理部１０６を制御して、Ｓ３０７で抽出された画像データに対して、Ｓ３０２で設定された画像調整用のパラメータを適用した画像調整処理を実行する。なお、画像調整処理は、Ｓ３０１で選択された画像データに直接に実行してもよいし、別ファイルとして複製した画像データに実行してもよい。
【００５６】
Ｓ３１０では、システム制御部１０８は、画像調整処理を続行するか否かをユーザに確認する。システム制御部１０８は、デジタルカメラ１００の動作モードが画像調整モードから変更されなかった場合は、画像調整処理を続行すると判定してＳ３０１に戻る。また、システム制御部１０８は、ユーザがモード切替スイッチ１１４を操作して、デジタルカメラ１００の動作モードを画像調整モードから別のモードに設定した場合は、画像調整処理を終了すると判定して、本フローチャートを終了する。
【００５７】
なお、画像調整処理は、明るさや色温度に限らず、ホワイトバランスやコントラストなど、様々なパラメータを用いることができ、本実施形態で例示したもの限定されるものではない。
【００５８】
また、本発明の画像処理装置をデジタルカメラに適用した例を説明したが、ＰＣや情報端末などで動作するアプリケーションにより実現してもよい。この場合、不揮発性メモリ１１２には、システム制御部１０８が実行する基本的なソフトウェアであるＯＳ（オペレーティングシステム）や、このＯＳと協働して応用的な機能を実現するアプリケーションが記録されている。本実施形態の撮影処理は、アプリケーションにより提供されるソフトウェアを読み込むことにより実現される。なお、アプリケーションはＰＣや情報端末にインストールされたＯＳの基本的な機能を利用するためのソフトウェアを有しているものとする。なお、ＯＳが本実施形態における処理を実現するためのソフトウェアを有していてもよい。
【００５９】
本実施形態によれば、複数の画像データに対して画像調整処理の対象を事前に設定することなく、既に処理済みの画像データと同様の条件を持つ複数の画像データを、同じパラメータを適用する処理対象の画像データとして自動で判定する。ユーザは画像調整用のパラメータを意識することなく、同様の条件を持つ複数の画像データに対して、既に処理済みの画像調整処理と同じパラメータを適用した画像調整処理を実行することができる。これにより、複数の画像データに対して迅速に画像調整処理を実行することができ、画像調整に係る作業負荷を軽減することができる。
【００６０】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６１】
１００…デジタルカメラ、１０６…画像処理部、１０８…システム制御部、１１７…操作部
【図１】
2019153916.tif 000003
【図２】
2019153916.tif 000004
【図３】
2019153916.tif 000005